【手続補正書】
【提出日】平成16年3月17日(2004.3.17)
【手続補正１】
【補正対象書類名】明細書
【補正対象項目名】特許請求の範囲
【補正方法】変更
【補正の内容】
【特許請求の範囲】
【請求項１】
手書き入力が行われるとともに、その入力または所定の情報を表示する表示部と、
前記表示部が、手書き入力を行う第１の位置と、手書き入力を行わずに、所定の情報を表示するだけの第２の位置との間で回動自在に支持された装置本体と、
前記表示部に手書き入力を行うとき用いられるペンと
を備える情報処理装置において、
前記ペンを、前記装置本体の、前記表示部が第１の位置にあるとき露出し、前記第２の位置にあるとき隠れる位置に、着脱自在に収納する
ことを特徴とする情報処理装置。
【請求項２】
手書き入力が行われるとともに、その入力を表示する表示部と、
前記表示部が接続される装置本体と、
前記表示部に手書き入力を行うとき用いられる複数のペンと
を備える情報処理装置において、
複数の前記ペンのうちのいずれであるかを検知する検知手段と、
前記検知手段の検知結果に対応して、前記ペンからの入力を処理する処理手段と
を備えることを特徴とする情報処理装置。
【請求項３】
前記処理手段は、前記検知手段の検知結果に対応して、前記ペンからの入力を処理するモードを切り替える
ことを特徴とする請求項２に記載の情報処理装置。
【請求項４】
前記モードは、前記表示部に表示する文字のフォントに関するモードである
ことを特徴とする請求項３に記載の情報処理装置。
【請求項５】
前記検知手段は、複数の前記ペンを収容する収容部を有し、前記収容部から取り出されたペンを検知する
ことを特徴とする請求項２に記載の情報処理装置。
【請求項６】
手書き入力が行われるとともに、その入力を表示する表示部と、
前記表示部が接続される装置本体と、
前記表示部に手書き入力を行うとき用いられる複数のペンと
を備える情報処理装置の情報処理方法において、
複数の前記ペンのうちのいずれであるかを検知する検知ステップと、
前記検知ステップの検知結果に対応して、前記ペンからの入力を処理する処理ステップと
を備えることを特徴とする情報処理方法。
【請求項７】
操作されたキーに対応する信号を出力するキーボードと、所定の情報を表示する表示部とを有する情報処理装置において、
前記表示部への手書き入力を検出するタブレットと、
軸部を介して、前記表示部を支持する装置本体と、
前記キーボードが前記装置本体の所定の位置に収納されていることを検出する、前記装置本体に設けられている検出手段と、
前記検出手段の検出結果に対応して、入力モードに手書き入力モードまたはキーボード入力モードを設定する設定手段と
を備えることを特徴とする情報処理装置。
【請求項８】
操作されたキーに対応する信号を出力するキーボードと、所定の情報を表示する表示部と、前記表示部への手書き入力を検出するタブレットと、軸部を介して前記表示部を支持する装置本体とを有する情報処理装置の情報処理方法において、
前記キーボードが前記装置本体の所定の位置に収納されていることを検出する検出ステップと、
前記検出ステップにおける検出結果に対応して、入力モードに手書き入力モードまたはキーボード入力モードを設定する設定ステップと
を含むことを特徴とする情報処理方法。
【請求項９】
操作されたキーに対応する信号を出力するキーボードと、所定の情報を表示する表示部とを有する情報処理装置において、
前記表示部への手書き入力を検出するタブレットと、
軸部を介して、前記表示部との角度が略垂直乃至略水平のうちの所定の角度になる位置に前記表示部を回動自在に支持する装置本体と、
前記表示部の位置を検出する検出手段と、
前記検出手段の検出結果に対応して、入力モードに手書き入力モードまたはキーボード入力モードを設定する設定手段と
を備えることを特徴とする情報処理装置。
【請求項１０】
操作されたキーに対応する信号を出力するキーボードと、所定の情報を表示する表示部と、前記表示部への手書き入力を検出するタブレットと、軸部を介して、前記表示部との角度が略垂直乃至略水平のうちの所定の角度になる位置に前記表示部を回動自在に支持する装置本体とを有する情報処理装置の情報処理方法において、
前記表示部の位置を検出する検出ステップと、
前記検出ステップにおける検出結果に対応して、入力モードに手書き入力モードまたはキーボード入力モードを設定する設定ステップと
を含むことを特徴とする情報処理方法。
【請求項１１】
操作されたキーに対応する信号を出力するキーボードと、所定の情報を表示する表示部とを有する情報処理装置において、
前記表示部への手書き入力を検出するタブレットと、
軸部を介して、前記表示部を支持する装置本体と、
前記タブレットにペンが接近または接触した場合、入力モードに手書き入力モードを設定し、前記タブレットに前記ペンが接近および接触していない場合、前記入力モードにキーボード入力モードを設定する設定手段と
を備えることを特徴とする情報処理装置。
【請求項１２】
操作されたキーに対応する信号を出力するキーボードと、所定の情報を表示する表示部と、前記表示部への手書き入力を検出するタブレットと、軸部を介して、前記表示部を支持する装置本体とを有する情報処理装置の情報処理方法において、
前記タブレットにペンが接近または接触した場合、入力モードに手書き入力モードを設定し、前記タブレットに前記ペンが接近および接触していない場合、前記入力モードにキーボード入力モードを設定する設定ステップを含む
ことを特徴とする情報処理方法。
【手続補正２】
【補正対象書類名】明細書
【補正対象項目名】０００８
【補正方法】変更
【補正の内容】
【０００８】
請求項６に記載の情報処理方法は、複数のペンのうちのいずれであるかを検知する検知ステップと、検知ステップの検知結果に対応して、ペンからの入力を処理する処理ステップとを備えることを特徴とする。
請求項７に記載の情報処理装置は、表示部への手書き入力を検出するタブレットと、軸部を介して、表示部を支持する装置本体と、キーボードが装置本体の所定の位置に収納されていることを検出する、装置本体に設けられている検出手段と、検出手段の検出結果に対応して、入力モードに手書き入力モードまたはキーボード入力モードを設定する設定手段とを備えることを特徴とする。
請求項８に記載の情報処理方法は、キーボードが装置本体の所定の位置に収納されていることを検出する検出ステップと、検出ステップにおける検出結果に対応して、入力モードに手書き入力モードまたはキーボード入力モードを設定する設定ステップとを含むことを特徴とする。
請求項９に記載の情報処理装置は、表示部への手書き入力を検出するタブレットと、軸部を介して、表示部との角度が略垂直乃至略水平のうちの所定の角度になる位置に表示部を回動自在に支持する装置本体と、表示部の位置を検出する検出手段と、検出手段の検出結果に対応して、入力モードに手書き入力モードまたはキーボード入力モードを設定する設定手段とを備えることを特徴とする。
請求項１０に記載の情報処理方法は、表示部の位置を検出する検出ステップと、検出ステップにおける検出結果に対応して、入力モードに手書き入力モードまたはキーボード入力モードを設定する設定ステップとを含むことを特徴とする。
請求項１１に記載の情報処理装置は、表示部への手書き入力を検出するタブレットと、軸部を介して、表示部を支持する装置本体と、タブレットにペンが接近または接触した場合、入力モードに手書き入力モードを設定し、タブレットにペンが接近および接触していない場合、入力モードにキーボード入力モードを設定する設定手段とを備えることを特徴とする。
請求項１２に記載の情報処理方法は、タブレットにペンが接近または接触した場合、入力モードに手書き入力モードを設定し、タブレットにペンが接近および接触していない場合、入力モードにキーボード入力モードを設定する設定ステップを含むことを特徴とする。
【手続補正３】
【補正対象書類名】明細書
【補正対象項目名】００１０
【補正方法】変更
【補正の内容】
【００１０】
請求項２に記載の情報処理装置および請求項６に記載の情報処理方法においては、複数のペンの中から所定のものが検知され、検知した結果に対応して、入力に対する処理が行われる。
請求項７に記載の情報処理装置および請求項８に記載の情報処理方法においては、キーボードが装置本体の所定の位置に収納されていることが検出され、検出結果に対応して、入力モードに手書き入力モードまたはキーボード入力モードが設定される。
請求項９に記載の情報処理装置および請求項１０に記載の情報処理方法においては、表示部の位置が検出され、検出結果に対応して、入力モードに手書き入力モードまたはキーボード入力モードが設定される。
請求項１１に記載の情報処理装置および請求項１２に記載の情報処理方法においては、タブレットにペンが接近または接触した場合、入力モードに手書き入力モードが設定され、タブレットにペンが接近および接触していない場合、入力モードにキーボード入力モードが設定される。
【手続補正４】
【補正対象書類名】明細書
【補正対象項目名】００３０
【補正方法】変更
【補正の内容】
【００３０】
請求項２に記載の情報処理装置および請求項６に記載の情報処理方法によれば、複数種類のペンのうち、使用されるペンを検知して、その検知結果に対応して処理を行うようにしたので、使用者に適応した処理を行うことができる。
請求項７に記載の情報処理装置および請求項８に記載の情報処理方法によれば、キーボードが装置本体の所定の位置に収納されていることが検出され、検出結果に対応して、入力モードに手書き入力モードまたはキーボード入力モードが設定されるようにしたので、手書き入力する場合の操作性が改善できる。
請求項９に記載の情報処理装置および請求項１０に記載の情報処理方法によれば、表示部の位置が検出され、検出結果に対応して、入力モードに手書き入力モードまたはキーボード入力モードが設定されるようにしたので、手書き入力する場合の操作性が改善できる。
請求項１１に記載の情報処理装置および請求項１２に記載の情報処理方法によれば、タブレットにペンが接近または接触した場合、入力モードに手書き入力モードが設定され、タブレットにペンが接近および接触していない場合、入力モードにキーボード入力モードが設定されるようにしたので、キーボードを操作しながら、ユーザが適宜ペン入力したときに、タブレットに入力を行うことができ、操作性が向上する。